(57)【特許請求の範囲】
【請求項１】
鍵挿入口及び鍵長穴を有するタンブラー錠の先端部にシャッター機構を備えたタンブラー錠のシャッター機構に於いて、前記先端部３に鍵長穴１０に交差すると共に、シャッター１１の遮蔽側先端部２１が圧接する内側カム面１４、シャッター１１の進退動を案内する第１水平案内面１６並びに第２水平案内面１７を有する部材収納部８を形成し、一方、前記シャッター１１の遮蔽側先端部２１には、ピッキング防止用切欠部２６を形成し、かつ該ピッキング防止用切欠部に突出すると共に、ピッキングツール４０の動きを規制する規制用突起２１ａを少なくとも一つ設け、前記部材収納部８に内装されたこのシャッター１１は、部材収納部８に組込まれたバネ部材１３のバネ力に抗して後端部の往復摺動子１２と共に協働して進退動することを特徴とするタンブラー錠のシャッター機構。
【請求項２】
請求項１に於いて、規制用突起２１ａは、ピッキング防止用切欠部２６の上下に対向状態に設けられていることを特徴とするタンブラー錠のシャッター機構。
【請求項３】
請求項１に於いて、シャッター１１は内壁面９と面接触する垂直シャッター面２２を有するブロック状遮蔽部２３と、この遮蔽部２３の後側上下端部から所要の嵌合空間２４を形成するように対向状態に延びた羽状支持部２５，２５とから成ることを特徴とするタンブラー錠のシャッター機構。
【請求項４】
請求項３において、シャッター１１のキャップ部材７の内壁面９及び第１水平案内面１６に指向する稜線はアングル状であり、一方、内側カム面１４から第２水平案内面１７に指向する稜線はやや緩やかな曲率を描いたカーブであり、シャッター１１は、この形態により部材収納部８内を回転しながら進退動することが可能であることを特徴とするタンブラー錠のシャッター機構。
【発明の詳細な説明】
【０００１】
【発明の属する技術分野】
本発明は、タンブラー錠のシャッター機構に関し、特にタンブラー錠の可動障害子が貫通孔を有するディスクタンブラーの場合に適合する。
【０００２】
【従来の技術】
タンブラー錠のシャッター機構は、普通一般に鍵挿入口及び鍵長穴を有するタンブラー錠の先端部内の空間部分に設けられている。従来、シャッター機構の主要部材であるシャッターは、常時タンブラー錠のキャップ状部材或いは表面壁の中央部に形成された鍵挿入口を塞いでいる。そこで、キーを鍵挿入口に差込むと、シャッターはバネ部材のバネ力に抗して、例えばキャップ状部材の内壁面に沿って後退開口、キーの挿入に相応して回転開口等する。
【０００３】
しかし、従来のシャッター機構のシャッターは、いずれにしても、キーを鍵挿入口に差込むと全く開口してしまうので、泥棒にとっては、ピッキング（こじ開け）行為が容易であるという欠点があつた。そこで、現在、ピッキングを防止することができるタンブラー錠のシャッター機構の出現が要望されている。
【０００４】
【発明が解決しようとする課題】
本発明の第１目的は、従来の要望に鑑み、ピッキング防止を図ることができるタンブラー錠のシャッター機構を提供することである。次に第２の目的は、シャッターが安定的に進退動することができることである。さらに第３の目的は、部材収容部にシャター、往復摺動子などを合理的に組込むことができることである。
【０００５】
【課題を解決するための手段】
本発明のタンブラー錠のシャッター機構は、鍵挿入口及び鍵長穴を有するタンブラー錠の先端部にシャッター機構を備えたタンブラー錠のシャッター機構に於いて、前記先端部３に鍵長穴１０に交差すると共に、シャッター１１の遮蔽側先端部２１が圧接する内側カム面１４、シャッター１１の進退動を案内する第１水平案内面１６並びに第２水平案内面１７を有する部材収納部８を形成し、一方、前記シャッター１１の遮蔽側先端部２１には、ピッキング防止用切欠部２６を形成し、かつ該ピッキング防止用切欠部に突出すると共に、ピッキングツール４０の動きを規制する規制用突起２１ａを少なくとも一つ設け、前記部材収納部８に内装されたこのシャッター１１は、部材収納部８に組込まれたバネ部材１３のバネ力に抗して後端部の往復摺動子１２と共に協働して進退動することを特徴とする。
【０００６】
【発明の実施の形態】
図１乃至図７は、本発明の第１実施例を示す各説明図である。１は可動障害子２を備えたタンブラー錠である。本発明は、このタンブラー錠１の先端部３に内装されたシャッター機構Ｘに特徴がある。そこで、特徴部分を中心に説明する。
【０００７】
タンブラー錠１は、有底筒状であるか否かを問わず、図２で示すように、可動障害子２を備えたタンブラー錠本体４と、このタンブラー錠本体４の先端部３に固定的に冠着され、かつ、中央部にキー５用の鍵挿入口６を有するキャップ部材７とから成る。
【０００８】
シャッター機構Ｘを構成するシャッター、バネ部材等の基本的な部材は、空間部としての部材収容部８に適宜に組込まれている。部材収容部８は、キャップ部材７の内壁面９とタンブラー錠本体４の先端部３に形成された切欠部とによって形成されている。この部材収容部８は鍵長穴１０に対して交差方向に形成されている。
【０００９】
普通一般にキー５は常時遮蔽しているシャッターを退かして挿入（軸）方向の鍵長穴１０へと差込まれるから、正確には前記部材収容部８は鍵長穴１０の手前の一部も含んでいることになる。
【００１０】
したがって、部材収容部８は、キー５がシャッターを押し退けて入り込み、かつ、キャップ部材７の内壁面９側に設けられたシャッター１１、往復摺動子１２、バネ部材１３をそれぞれ収容する空間部分を意味する。
【００１１】
まず、図２を基準に部材収容部８の内壁面について説明する。符号Ｏは鍵長穴１０の中心線である。この中心線Ｏにキー５が差込まれる。しかして、中心線Ｏを基準として部材収容部８の左収容壁は弧状の内側カム面１４となっている。一方、弧状内側カム面１４と対向的な部材収容部８の右収容壁は、バネ部材１３の後端部を支持するバネ端受け面１５となっている。このバネ端受け面１５と交差する部材収容部８の対向する各内壁面を便宜上、第１水平案内面（内壁面９の一部）１６及び第２水平案内面（先端部を切欠した面）１７とする。これら第１水平案内面１６と、第２水平案内面１７及び前記バネ端受け面１５とにより、主要部材を収容する断面長方形状の収容空間が出来上がっている。
【００１２】
次に部材収容部８に組込まれたシャッター１１につて説明する。シャッター１１は後端部２０に組込まれた往復摺動子１２と協働して進退動する。このシャッター１１は、部材収容部８に内装されたバネ部材１３のバネ力により、その遮蔽側先端部２１が弧状の内側カム面１４に常時圧接するように付勢されている。
【００１３】
ここで、図２及び図３を参照にシャッター１１を説明すると、シャッター１１は内壁面９と面接触する垂直シャッター面２２を有するブロック状遮蔽部２３と、この遮蔽部２３の後側上下端部から所要の嵌合空間２４を形成するように対向状態に延びた羽状支持部２５，２５とから成り、前記ブロック状遮蔽部２３の遮蔽側の先端部２１には、端面コ字型状のピッキング防止用切欠部２６が形成されている。
【００１４】
ところで、シャッター１１は、上方から全体観察すると、菱型形状のブロック体に見える。そこで、図２を基準にして稜線について説明する。本実施例ではキャップ部材７の内壁面９及び第１水平案内面１６に指向する稜線はアングル状、例えば略１３５度の交差線に見える。これに対し、内側カム面１４から第２水平案内面１７に指向する稜線はやや緩やかな曲率を描いたカーブに見える。
【００１５】
また前記ピッキング防止用切欠部２６について説明する。切欠部２６は垂直シャッター面２２の一端部から内側カム面１４に向かって斜め方向に設けられている。したがって、この実施例ではシャッター１１の遮蔽側先端部２１は尖がった状態である。つまり、遮蔽側先端部２１の上下には、規制用突起２１ａ，２１ａが形成されている。
【００１６】
次に往復摺動子１２について説明する。往復摺動子１２はシャッター１１とバネ部材１３との間に介在し、バネ部材１３の先端部１３ａを受けている。往復摺動子１２の形態は、図３で示すように軽ミゾ形状（逆コの字状）のブロック体である。往復摺動子１２は、シャッター１１の羽状支持部２５，２５内の嵌合空間２４に安定的に嵌合するように組込まれている。
【００１７】
しかして、３０はシャッター１１の内部背面２８と面乃至線接触状態で圧接する当接部である。また３１は当接部３０からバネ端受け面１５方向に向かって延びる一対の案内腕である。バネ部材１３は圧縮ばねの一例であるコイルスプリングが使用され、その先端部１３ａは往復摺動子１２の当接部３０の内壁面に圧接している。
【００１８】
最後に、可動障害子２について簡単に説明する。可動障害子２は、例えば正面略矩形状或いは小判状のディスクタンブラーが使用されている。矩形状ディスクタンブラーの形態は公知であり、中央部には鍵違い用の貫通孔３５が形成されている。複数個の可動障害子２は、図２で示すようにタンブラー錠本体４に形成された各タンブラー収納部３６にそれぞれ組込まれ、図示しないタンブラーバネにより突出方向に付勢されている。各タンブラー収納部３６は鍵長穴１０と交差している。
【００１９】
上記構成において、図５及び図６はシャッター機構Ｘの作動状態を示す各説明図である。図５はキー５を縦にした状態で鍵挿入口６から鍵長穴１０に向かって差込んだ場合の流れを示し、一方、図６はキー５を鍵長穴１０から引抜いた場合の流れを示している。
【００２０】
図５及び図６において、符号Ａはキー５を鍵挿入口６から差込んだ場合を示している。この場合キー５の先端部はシャッター面２２に突き当たる。Ｂはキー５をチョット押し込んだ場合を示している。この場合シャッター１１の先端部２１は内側カム面１４を摺接しながら時計方向へと回転すると共に、往復摺動子１２をバネ部材１３のバネ力に抗して後退させる。なお、この場合シャッター１１の稜線カーブ側の内壁面は、第２水平案内面１７に摺接している。
【００２１】
Ｃはキー５をさらに押し込んだ場合を示している。この場合シャッター１１の先端部２１は内側カム面１４を摺接しながらその内端部まで移行する。この場合シャッター１１は相変わらず時計方向へと回転すると共に、往復摺動子１２をバネ部材１３のバネ力に抗して後退させる。
【００２２】
Ｄはキー５が内側カム面１４の内端面まで至った場合を示している。この場合シャッター１１は第１及び第２水平案内面に案内されてキー５が通れるように後退している。Ｅはキー５が内側カム面１４を通過して可動障害子２の貫通孔へと入り込んだ場合を示している。
【００２３】
このようにキー５をタンブラー錠１に差し込むと、シャッター機構Ｘのシャッター１１は、内側カム１４、第１水平案内面１６及び第２水平案内面１７に案内されかつ、バネ部材１３のバネ力に抗してスムースに回動・水平移動をし、バネ部材１３側の収納空間内へと後退する。
【００２４】
図６のＦは、キー５を引抜き始めた所である。シャッター１１はバネ部材１３で内側カム面１４の方向へ常時付勢されているから、キー５の溝５ａに先端部２１が入り込んでいる。Ｇはキー５をさらに引抜いた場合を示している。シャッター１１はキー５の移動に追従して反時計方向へ回転し始めると共に、バネ部材１３のバネ力により内側カム面１４の方向へ移動し始める。この場合相変わらずキー５の溝５ａに先端部２１が入り込んでいる。
【００２５】
Ｈはキー５をさらに引抜いた場合を示している。この場合シャッター１１は回転し終わって、そのシャッター面２２が第１水平案内面１６に面接触している。したがって、以後、キー５をさらに引抜いた場合にはシャッター１１はキーの溝５ａとの関係で多少後退したり或いは前進したりするものの、最終的には図５のＡに示すような初期状態に戻る。
【００２６】
ところで、図５のＡに示す初期状態において、今仮に泥棒がタンブラー錠１をピッキングしようと試み、図７で示すようにいわゆるピッキングツール４０を鍵挿入口６に差込んだとする。この場合ピッキングツール４０は、シャッター１１が押されて回転するのでシャッター面２２を滑り、必ずピッキング防止用切欠部２６に入り込む。このような状態でピッキングツール４０を操作しても、先端部２１の上下の規制用突起２１ａ，２１ａに邪魔されるから、結局、複数個の可動障害子２を所望するように上げ、下げすることができない。つまり、泥棒は、ピッキングツール４０を上下の突起２１ａ，２１ａの間でしか上げ、下げすることができないので、タンブラー錠１を解錠することができない。
【００２７】
【実施例】
規制用突起２１ａは、シャッター１１の遮蔽側先端部２１に形成されたピッキング防止用切欠部２６の上下に対向状態に設けることが望ましいが、ピッキング防止という発明の第１目的から言えば、規制用突起２１ａは遮蔽側先端部２１の適宜箇所に１個のみ設けても良い。要は可動障害子２の鍵違い用貫通孔３５との関係で、ピッキングツールの上下の動きを規制することができれば良い。また遮蔽側先端部２１は尖がった状態であるが、ピッキングの範囲を規制するために、例えばその先を多少カットする、切欠部壁面にテーパを形成する等の工夫をしても良い。
【００２８】
【発明の効果】
以上の説明から明らかなように、本発明にあっては、次に列挙するような効果がある。
（１）図７で示すように、ピッキングツールの移動範囲が規制されるので、泥棒にとってはピッキングが容易でない。したがって、ピッキング防止の効果を十分に期待することができる。
（２）請求項３，請求項４に記載の実施例の場合には、シャッターが安定的に進退動する。また部材収容部にシャッター、往復摺動子、バネ部材を合理的に組込むことができるので、故障が少ないと共に、空間を有効的に活用することができる。
【図面の簡単な説明】
図１乃至図７は本発明の一実施例を示す各説明図。
【図１】実施の形態の一例を示す概略説明図。
【図２】概略断面説明図。
【図３】主要部材の分解斜視図。
【図４】主要部材を組み合わせた斜視図。
【図５】キーを差込んだ場合に於いて、主要部材の作動状態を示す概略説明図。
【図６】キーを抜いた場合に於いて、主要部材の作動状態を示す概略説明図。
【図７】発明の効果を説明するための説明図。
【符号の説明】
Ｘ…シャッター機構、１…タンブラー錠、２…可動障害子、３…先端部、４…タンブラー錠本体、５…キー、６…鍵挿入口、７…キャップ部材、８…部材収容部、９…内壁面、１０…鍵長穴、１１…シャッター、１２…往復摺動子、１３…バネ部材、１４…内側カム面、１６…第１水平案内面、１７…第２水平案内面、２１…遮蔽側先端部、２１ａ…規制用突起、２２…シャッター面、２６…切欠部。
【図１】
0004174164.tif 000002
【図２】
0004174164.tif 000003
【図３】
0004174164.tif 000004
【図４】
0004174164.tif 000005
【図５】
0004174164.tif 000006
【図６】
0004174164.tif 000007
【図７】
0004174164.tif 000008